(57)【要約】【課題】ボディサイズをコンパクトに保ちながらも予備の外部メモリをスペース効率良くボディ内に収納することができるようにした携帯型電子機器を提供する。【解決手段】ボディ１１はグリップ部を有する。グリップ部はボディ１１の前面には突出した膨出部を有する。グリップ部の内部には電池装填室２３が設けられる。予備の外部メモリ２７はメモリ収納室２２に収納される。メモリ収納室２２は電池装填室２３から膨出部に向かって空間的に連なるように設けられている。蓋３０は電池装填室２３とメモリ収納室２２を一体に開閉する。【選択図】図４
2007234978.tif 000002
【特許請求の範囲】
【請求項１】
ボディの前面側に突出した膨出部を含むグリップ部を備えるとともに前記グリップ部の内部に電池装填室が設けられ、メモリ装着部に装着された外部メモリにアクセスしてデータの記録・読み出しが行われる携帯型電子機器において、
前記メモリ装着部に装着して用いられる予備の外部メモリの収納部が、前記膨出部に向かって前記電池装填室から空間的に連なるように設けられ、この予備の外部メモリの収納部が前記電池装填室を開閉する蓋で一体に開閉されることを特徴とする携帯型電子機器。
【請求項２】
前記収納部と前記電池装填室との境界に板バネが組み込まれ、この板バネの一端側は装填された電池を押圧して装填位置に保持し、前記板バネの他端側は前記収納部に収納された予備の外部メモリを押圧して収納位置に保持することを特徴とする請求項１記載の携帯型電子機器。
【請求項３】
前記ボディの背面と平行な電池装填室の一方の内壁に沿って設けられた回路基板に、前記メモリ装着部と、装填された電池の電極に接触する接点とが設けられるとともに、前記ボディの底面に前記蓋で開閉される開口が形成され、この開口を通して外部メモリ、電池、及び予備の外部メモリが、この順序で前記ボディの背面側から前記膨出部側に向かって重なるように装着、装填、及び収納されることを特徴とする請求項１または２記載の携帯型電子機器。
【請求項４】
前記電池装填室は直方体形状を有し厚みが異なる二種類の電池が選択的に装填可能であり、前記電池装填室内には装填された電池をその厚み方向から押圧して装填位置に保持する弾性部材の一端側が突出し、厚みが薄い電池が前記電池装填室に装填されて前記電池装填室に空きスペースが形成された場合には、前記収納部または前記空きスペースにおいて前記予備の外部メモリが前記弾性部材に一体に形成された保持部により収納されることを特徴とする請求項１記載の携帯型電子機器。
【発明の詳細な説明】
【技術分野】
【０００１】
本発明は、データの読込み用あるいは書込み用に外部メモリが装着される携帯型電子機器に関するもので、詳しくは機器本体のサイズをコンパクトに保ちつつ機器本体に予備の外部メモリを収納することができるようにした携帯型電子機器に関するものである。
【背景技術】
【０００２】
デジタルカメラやＰＤＡ（Personal  Digital  Assistance）などの携帯型電子機器は、携帯性をより向上させるためにコンパクト化・薄型化が進んでいる。これらの電子機器の使用には電池が不可欠であり、一般には充電式の二次電池が多用されている。一回の電池交換あるいは充電で使用できる時間は電池の容量に依存するので、長い時間使用できるようにするには電池のサイズは大型化しやすい。大型化した電池をスペース効率よく機器本体に装填することができるように、例えばデジタルカメラでは撮影時にホールドしやすいようにボディの一部を膨らませたグリップ部の内部に電池装填室を設けることが多い。
【０００３】
一方、デジタルカメラでの撮影時には、撮影で得られた画像データの保存用にコンパクトフラッシュ(登録商標）、ＳＤメモリカード、ｘＤピクチャーカードなどのいわゆるカード型の外部メモリが併用される。これらの外部メモリを使い尽くすとそれ以後に撮影した画像データの保存ができなくなるので新たな外部メモリに交換しなくてはならない。このような場合に必要となる予備の外部メモリは予め用意しておけばよいが、現実には忘れてしまうことも少なくなく、予め用意しておくにしてもポケットやバック類に無造作に入れておくと破損や紛失のおそれも高い。
【０００４】
この点、特許文献１記載のデジタルカメラでは、画像データの記録対象となるカード型外部メモリを収納するカード収納室に、予備の外部メモリも同時に収納することができるようにしてある。使用中の外部メモリが満杯になったときには、予備の外部メモリを所定のアクセス位置に入れ替えて使用すればよく、外部メモリの保管も安全で必要なときには直ぐに対応できるという利点がある。なお、デジタルカメラに限らず、ＰＤＡでも作業結果の保存用に予備の外部メモリが必要となる場合もあり、一枚だけでなく予備の外部メモリを簡単に収納できる収納部を機器本体（ボディ）に設けておくことが好ましい。
【特許文献１】特開２００１−１４３４５２号公報
【発明の開示】
【発明が解決しようとする課題】
【０００５】
ところが、携帯機器のボディに予備の外部メモリの収納スペースを設けることは、その分、ボディサイズが大きくなることが避けられず、特許文献１記載のデジタルカメラにおいてもカード収納室のサイズが大きくなってその組み込みスペースも大きくなり、ボディのコンパクト化・薄型化を図る上では不利になる。
【０００６】
本発明は上記背景を考慮してなされたもので、できるだけボディサイズをコンパクトに保ちながらも予備の外部メモリをスペース効率良くボディ内に収納することができるようにした携帯型電子機器を提供することを目的とする。
【課題を解決するための手段】
【０００７】
本発明は上記目的を達成するにあたり、コンパクト化された携帯型電子機器には使用時や携帯時に取り扱いしやすくなるようにボディの前面側に突出した膨出部を含むグリップ部が設けられ、その内部が電池装填室として多用されることに着目し、前記膨出部に向かって電池装填室から空間的に連なるように設けられたスペースを予備の外部メモリの収納部にするとともに、この収納部が電池装填室を開閉する蓋で一体に開閉できる構成にしたことを特徴とする。また、収納部に収納された外部メモリを保持するために部品が必要になるが、電池を電池装填室内の所定の装填位置に保持するために板バネが用いられている場合、この板バネの他端側を利用して外部メモリを収納部に保持することができる。
【０００８】
本発明の特に好ましい実施形態にあっては、ボディ背面と平行な電池装填室の内壁に沿って回路基板が設けられ、この回路基板には電池の電極に接触する接点と、使用に伴うデータの記録・読み出し時にアクセスされる外部メモリの装着部とが組み付けられており、ボディの底面に形成された開口を通して前記装着部に装着された外部メモリ、前記接点に電極が接触するように装填された電池、前記収納部に収納された予備の外部メモリがこの順序でボディ背面側から膨出部側に向かって重なるように収納され、これらは開口を覆う単一の蓋でカバーされる。
【０００９】
また、電池装填室直は直方体形状を有し厚みが異なる二種類の電池が選択的に装填可能とし、電池装填室内には装填された電池をその厚み方向から押圧して装填位置に保持する弾性部材の一端側が突出させ、厚みが薄い電池が前記電池装填室に装填されて前記電池装填室に空きスペースが形成された場合には、前記収納部または前記空きスペースにおいて前記予備の外部メモリが前記弾性部材に一体に形成された保持部により収納されるようにすれば、ボディのさらなる薄型化を図ることができる。
【発明の効果】
【００１０】
コンパクト化・薄型化された携帯型電子機器を使用時あるいは携帯時に取り扱いしやすくするためにボディの前面側に突出した膨出部をグリップ部に用い、このグリップ部の内部を電池装填室に利用することによってボディの大型化を防ぐことができ、しかも電池装填室と空間的に連なるように予備の外部メモリの収納部を設ければ、収納部を空間的に独立して設けるよりも少ないスペースで済むようになり、結果的にボディサイズ全体の大型化を避けることができる。
【００１１】
さらに、ボディの底面における同一の開口を通して記録・読み出し時にアクセスされる外部メモリと、電池と予備の外部メモリとがボディ内に装填・収納され、これらがこの順序で重なるように収納することによってこれらの収納スペースを全体的にさらに小さく押さえるとともに、単一の蓋でこれらをカバーすることができる。また、厚みが異なる二種類の電池が選択的に装填できる場合には、薄い電池を装填したときに生じる空きスペースを予備の外部メモリの収納部の一部として利用することも可能である。なお、上記収納部は、データを記録した使用済みの外部メモリやアプリケーションプログラムあるいは電子機器の使用時に必要となる補助データが格納された外部メモリを、収納してもよい。
【発明を実施するための最良の形態】
【００１２】
図１は、本発明を適用したデジタルカメラ１０の外観を示す斜視図である。デジタルカメラ１０はボディ１１を備えており、その前面には突出した鏡筒部１２が配置されている。鏡筒部１２の前面には撮影レンズ１３が露呈されている。また、ボディ１１の前面にはストロボ発光部１４が配置されている。
【００１３】
ボディ１１の上面には、半押しと全押しとの間で押圧操作されるレリーズボタン１７が設けられている。ボディ１１の背面には、デジタルカメラ１０の各種設定を行う操作部（図示省略）や撮影した画像等を表示する表示モニタ（図示省略）等が設けられている。
【００１４】
ボディ１１の片側であってその前面から背面にかけてグリップ部１８が設けられており、グリップ部１８はボディ１１の前面に突出した膨出部２０を備えている。グリップ部１８を撮影者の手によりしっかりと支持して撮影することにより、ブレの無い画像を得ることができる。
【００１５】
デジタルカメラ１０の底面側から見た斜視図である図２及び図３に示すように、ボディ１１のグリップ部１８の内部にはメモリ収納室２２、電池装填室２３、メモリ装着部２４が設けられている。ボディ１１の底面には開口１１ａが形成されており、この開口１１ａを通して予備の外部メモリ２７、電池２８、及び外部メモリ２９が、メモリ収納室２２、電池装填室２３、及びメモリ装着部２４に収納、装填、及び装着される。開口１１ａは、蓋３０により開放もしくは覆い隠される。蓋３０は、その一端とボディ１１の底面とがヒンジ（図示省略）を介して軸支され、開口１１ａを開放する位置と覆い隠す位置との間で開閉自在とされている。この蓋３０によりメモリ収納室２２、電池装填室２３、及びメモリ装着部２４は一体に開閉される。また、蓋３０には、装填された際の電池２８を開口１１ａ側から支持する支持部３０ａが設けられている。なお、本発明のデジタルカメラに用いられる電池は二次電池であり、例えばリチウム電池等が用いられる。また、支持部３０ａには電池２８を電池装填室２３方向に付勢するスプリング等を取り付けてもよい。
【００１６】
図３に示すように、メモリ収納室２２は電池装填室２３の膨出部２０側に設けられており、電池装填２３室と空間的に連結している。このように、電池装填室２３の一部を拡張し、拡張した部分をメモリ収納室２２とすることにより、独立して予備の外部メモリ２７を収納するためのスペースを設けなくて済むために、ボディサイズをこれまでとほぼ同じサイズに維持することが可能となる。また、メモリ収納室２２は、ボディ１１の底面側から膨出部２０の中央部側に向かって斜めになる傾斜部２２ａを備えている。傾斜部２２ａを備えることにより、予備の外部メモリ２７をスライドし易くして、予備の外部メモリ２７の出し入れを容易にする。
【００１７】
図３及びグリップ部の断面図を表す図４に示すように、メモリ収納室２２と電池装填室２３との境界を形成する電池装填室２３の内壁には板バネ３３がネジ３４により取り付けられている。この板バネ３３は第１押圧部３６と第２押圧部３７からなる。第１押圧部３６は２つの押圧片３６ａ，３６ｂを備えており、この２つの押圧片３６ａ，３６ｂが予備の外部メモリ２７を傾斜部２２ａ方向に押圧してメモリ収納室２２の収納位置に保持する。第２押圧部３７は電池２８を押圧して電池装填室２３の装填位置に保持する。
【００１８】
メモリ装着部２４は回路基板４０に配置されており、この回路基板４０はボディ１１の背面と平行な電池装填室２３の内壁に沿って設けられている。メモリ装着部２４はコネクタ２４ａを備えており、このコネクタ２４ａを介して外部メモリ２９に格納された画像データ等が回路基板４０に設けられたＣＰＵ（図示省略）等に送られる。また、回路基板４０には電池基板４２が取り付けられており、この電池基板４２は電池２８の電極に接触する接点４３が設けられている。電池２８の電力は、接点４３を介して回路基板４０に配置されたＣＰＵ等に送られる。
【００１９】
上記実施形態における板バネ３３は、その略中央部の一箇所のみで取り付けられているために、ネジ３４の緩み等が原因で板バネ３３が予備の外部メモリ２７や電池２８を押圧する位置がずれて、それら予備の外部メモリ２７や電池２８を安定に保持することができない場合がある。そこで、第２実施形態では、図５に示すような板バネ５０を用いてしっかりと固定させることにより、予備の外部メモリ２７や電池２８を安定に保持する。
【００２０】
板バネ５０は、本体部５１、取付部５２、第１押圧部５３、第２押圧部５４からなる。板バネ５０の取付部５２は２つの取付片５２ａ，５２ｂからなり、図６に示すように、メモリ収納室５７のバネ取付部５７ｂに溶接等により固定される。第１押圧部５３は、本体部５１のメモリ収納室５７側の面と対向するように屈曲しており、予備の外部メモリ２７をメモリ収納室５７の傾斜部５７ａ方向に押圧して収納位置に保持する。第２押圧部５４は電池２８を押圧して装填位置に保持する。なお、図６では、図４における部材等と同一の部材等には同一の符号を付してある。
【００２１】
本発明の第３実施形態では、デジタルカメラの電池装填室に厚みが異なる2種類の電池が装填可能な電池装填室が用いられる。この第３実施形態では、厚みが薄い電池を電池装填室に装填した場合に形成される電池装填室の空きスペースを利用して、予備の外部メモリを収納する。その際に、図７に示すような板バネ６０を用いて、予備の外部メモリ２７を収納する。
【００２２】
板バネ６０は、保持部６１、押圧部６２、取付部６３を備えている。保持部６１は第１保持部６５と第２保持部６６からなる。第１保持部６５は略箱形形状であり、予備の外部メモリ２７の先端の一部を包み込むようにして予備の外部メモリ２７の先端側を保持する。第２保持部６６は２つの支持片６６ａ，６６ｂを有しており、この２つの支持片６６ａ，６６ｂが予備の外部メモリ２７の後端側を支持する。これにより、予備の外部メモリ２７は保持部６１にて安定に保持される。押圧部６２は電池装填室２３内に突出しており、電池７２，７３（図８参照）を押圧して装填位置に保持する。なお、第３実施形態における電池基板の接点６９は、２種類の電池のいずれもが接触可能な形状とされている。
【００２３】
図８に示すように、メモリ収納室７０は、板バネ６０の保持部６１を収納できるように、電池装填室の膨出部２０側に設けられており、電池装填室２３と空間的に連結している。板バネ６０の取付部６３は２つの取付片６３ａ，６３ｂを有しており、メモリ収納室７０の一部に溶接等により固定される。図８（Ａ）は厚みが厚い電池７２が装填されたときのグリップ部の断面図を示しており、第１及び第２実施形態と同様に、保持部６１にて保持された予備の外部メモリ２７がメモリ収納室７０内にほぼ収納される。図８（Ｂ）は厚みが薄い電池７３が装填されたときのグリップ部の断面図を示しており、保持部６１にて保持された予備の外部メモリ２７は、メモリ収納室７０と電池装填室２３の一部に形成された空きスペースに２３ａおいて、収納される。なお、保持部６１にて保持される予備の外部メモリ２７を一枚としたが、装填される電池の厚さに応じて、保持部６１を拡張し、保持される予備の外部メモリ２７の枚数を増やしても良い。また、図８では、図４における部材等と同一の部材等には同一の符号を付してある。
【００２４】
図９に示すように、メモリ収納室８０は、板バネ６０の全体を収納できるように、電池装填室２３の膨出部２０側に設けられており、電池装填室２３と空間的に連結している。板バネ６０の取付部６３はメモリ収納室８０の一部に溶接等により固定される。図９（Ａ）は厚みが厚い電池７２が装填されたときのグリップ部の断面図を示しており、装填される電池７３の体積がほぼ電池装填室２３の体積と同一である場合に、電池７２を押圧する押圧部６２も含めた板バネ６０全体がメモリ収納室８０に収納される。図８（Ｂ）は厚みが薄い電池７３が装填されたときのグリップ部の断面図を示しており、保持部６１にて保持された予備の外部メモリ２７は、メモリ収納室８０と電池装填室２３の一部に形成された空きスペース２３ａにおいて、収納される。なお、図９（Ａ）では、保持部６１に予備の外部メモリ２７が保持されていないが、メモリ収納室８０をほんの少しだけ拡張して、厚みが厚い電池７２が装填された場合であっても、保持部６１に予備の外部メモリ２７を保持させてもよい。また、図９では、図８における部材等と同一の部材等には同一の符号を付してある。
【図面の簡単な説明】
【００２５】
【図１】本発明を適用したデジタルカメラを示す斜視図である。
【図２】本発明を適用したデジタルカメラの底面側を示す斜視図である。
【図３】メモリ収納室及び電池装填室の周辺を示す斜視図である。
【図４】グリップ部の内部を示す断面図である。
【図５】第２実施形態における板バネを示す斜視図である。
【図６】第２実施形態におけるグリップ部の内部を示す断面図である。
【図７】第３実施形態における板バネを示す斜視図である。
【図８】第３実施形態におけるグリップ部の内部を示す断面図であり、（A）は厚みが厚い電池が装填されたときを、（B）は厚みが薄い電池が装填されたときを、示している。
【図９】第３実施形態におけるグリップ部の内部を示す断面図であり、（A）は厚みが厚い電池が装填されたときを、（B）は厚みが薄い電池が装填されたときを、示している。
【符号の説明】
【００２６】
１０  デジタルカメラ
１１  ボディ
１１ａ  開口
１８  グリップ部
２０  膨出部
２２  メモリ収納室
２３  電池装填室
２３ａ  空きスペース
２４  メモリ装着部
２７  予備の外部メモリ
２８  電池
２９  外部メモリ
３０  蓋
３３  板バネ
３６  第１押圧部
３７  第２押圧部
４０  回路基板
４３  接点
５０  板バネ
５３  第１押圧部
５４  第２押圧部
６０  板バネ
６１  保持部
【図１】
2007234978.tif 000003
【図２】
2007234978.tif 000004
【図３】
2007234978.tif 000005
【図４】
2007234978.tif 000006
【図５】
2007234978.tif 000007
【図６】
2007234978.tif 000008
【図７】
2007234978.tif 000009
【図８】
2007234978.tif 000010
【図９】
2007234978.tif 000011